(57)【要約】【課題】    外観意匠性を良好にし、かつ障子の円滑な開閉操作性を確保することができる建具を提供すること。【解決手段】下部障子３０のスライドシューを案内する室内レール部材１３３を塞いで内部レール１３７を取り付け、この内部レール１３７で下部障子３０の上端部および内倒しアーム３８のスライドシュー３８１を上下スライド自在に支持することで、室内レール部材１３３に形成された開口から縦枠１３内部への埃やゴミ等の浸入を防止することができる。従って、スライドシューやロープ３９などへの埃やゴミ等の付着が防止でき、下部障子３０の円滑な開閉操作性を確保することができる。また、室内レール部材１３３の開口を内部レール１３７で塞ぐことで、縦枠１３の内部構造であるロープ３９が室内側から見えなくなり、上げ下げ窓１の意匠性を向上させることができる。【選択図】  図８
2006233711.tif 000002
【特許請求の範囲】
【請求項１】
上枠、下枠、および左右の縦枠を有する窓枠と、この窓枠内に支持された少なくとも上下二段の障子とを備え、
前記少なくとも上下二段の障子のうち、少なくとも下側の障子の下端部には、前記縦枠に案内されて当該障子を上下方向にスライド開閉自在に支持するスライド部材が設けられ、このスライド部材に軸支されて当該下側の障子が室内側に回動可能かつ前記窓枠に接続されたアーム部材を介して所定回動位置で支持され、
前記縦枠には、前記スライド部材を上下に案内するレール部が当該障子に向かって開口して形成され、このレール部における所定の高さ位置よりも上側には、前記下側の障子の上端部を上下スライド自在かつ係脱自在に支持するとともに、前記アーム部材の端部を上下スライド自在に支持する副レール部材が当該レール部の開口を塞いで設けられている建具。
【請求項２】
前記アーム部材の端部には、前記副レール部材にスライド自在に支持されるアームスライド部材が設けられ、
前記副レール部材の下端部には、前記下側の障子の回動操作に伴って下方にスライドする前記アームスライド部材に当接して当該障子の回動位置を規定するストッパーが設けられている請求項１に記載の建具。
【請求項３】
前記ストッパーの下端面は、上方に開放操作された前記下側の障子のスライド部材に当接して当該障子の開放位置を規定可能に構成されている請求項２に記載の建具。
【請求項４】
前記副レール部材には、前記下側の障子の回動操作に伴って下方にスライドする前記アームスライド部材と摺接する摺接面が設けられている請求項２または請求項３に記載の建具。
【請求項５】
前記摺接面の上部には、上方から下方に向かって前記アームスライド部材に近づく傾斜面が形成されている請求項４に記載の建具。
【請求項６】
前記アームスライド部材には、前記副レール部材の摺接面に摺接する摺接部が設けられ、この摺接部は、前記摺接面に向かって進退位置が調節可能に構成されている請求項４または請求項５に記載の建具。
【請求項７】
前記窓枠には、吊下材を介して前記スライド部材に接続されて前記下側の障子を上方に付勢するバランサが設けられており、
前記バランサに接続された前記吊下材は、前記縦枠のレール部内において、前記副レール部材の一方の側面に沿って下方に延びるとともに、前記スライド部材に設けられた滑車に巻かれて折返し、前記副レール部材の他方の側面に沿って上方に延びて設けられている請求項１から請求項６のいずれかに記載の建具。
【発明の詳細な説明】
【技術分野】
【０００１】
本発明は、建具に関し、詳しくは、窓枠と、この窓枠内に支持された少なくとも上下二段の障子とを備えた上げ下げ窓等の建具に関する。
【背景技術】
【０００２】
住宅等の外壁開口部に設けられる建具（サッシ窓）として、上下一対の障子を備えた上げ下げ窓が知られている（例えば、特許文献１参照）。
特許文献１に記載された上げ下げ窓は、窓枠と、この窓枠の上半分に固定された固定障子と、この固定障子の室内側に沿って上下にスライド開閉自在に設けられた可動障子（下部障子）とを備えて構成されている。そして、下部障子の下端部（スライドシュー）と窓枠との間には、下部障子の重量と同程度の力を上方に作用させて下部障子の開閉操作を容易にさせるためのバランサが設けられている。また、下部障子は、その下框を中心にして上部が室内側に回動（内倒し）可能に構成されており、この内倒し時に下部障子を支持するためのアームが縦框の途中位置と、縦枠に案内されて上下スライド自在に支持されたスライダとに連結されている。従って、内倒しして所定角度だけ傾いた下部障子をアームによって支持することができ、この状態の下部障子の室外面（ガラスパネル）を室内側から掃除できるようになっている。
【０００３】
【特許文献１】実公平５−３８２２２号公報
【発明の開示】
【発明が解決しようとする課題】
【０００４】
しかしながら、前記特許文献１に記載の上げ下げ窓では、縦枠が見付け方向内側に開口した断面略コ字形に形成され、この縦枠内部の室外側側面にスライダが支持されているため、縦枠の開口を通して縦枠の内部構造、つまりスライダのレールやバランサ等が見えてしまい、窓の意匠性が劣ってしまうという問題がある。さらに、縦枠の開口から埃やゴミ等が縦枠内部に入り込む可能性があり、この埃やゴミ等がバランサや下部障子のスライドシューに付着することで、これらの移動を阻害して下部障子の開閉操作が円滑に実施できなくなるという問題もある。
【０００５】
本発明の目的は、外観意匠性を良好にし、かつ障子の円滑な開閉操作性を確保することができる建具を提供することにある。
【課題を解決するための手段】
【０００６】
本発明の建具は、上枠、下枠、および左右の縦枠を有する窓枠と、この窓枠内に支持された少なくとも上下二段の障子とを備え、前記少なくとも上下二段の障子のうち、少なくとも下側の障子の下端部には、前記縦枠に案内されて当該障子を上下方向にスライド開閉自在に支持するスライド部材が設けられ、このスライド部材に軸支されて当該下側の障子が室内側に回動可能かつ前記窓枠に接続されたアーム部材を介して所定回動位置で支持され、前記縦枠には、前記スライド部材を上下に案内するレール部が当該障子に向かって開口して形成され、このレール部における所定の高さ位置よりも上側には、前記下側の障子の上端部を上下スライド自在かつ係脱自在に支持するとともに、前記アーム部材の端部を上下スライド自在に支持する副レール部材が当該レール部の開口を塞いで設けられていることを特徴とする。
【０００７】
ここで、少なくとも上下二段の障子は、上下一対の２枚の障子（上部障子および下部障子）から構成されていてもよく、３枚以上の障子から構成されていてもよい。
そして、上側の障子は、開閉可能に構成されていてもよく、また開閉不能な固定障子であってもよい。上側の障子を開閉可能に構成した場合の開閉形式は、上下にスライドする形式でもよく、また当該障子の上辺（上框）または下辺（下框）が窓枠に軸支されて室外側や室内側に回動する突出し形式や内倒し形式等でもよく、さらに当該障子の縦辺（縦框）が窓枠に軸支されて室外側や室内側に回動する開き形式でもよい。
【０００８】
以上の本発明によれば、下側の障子のスライド部材を案内する縦枠のレール部を塞いで副レール部材を取り付け、この副レール部材で下側の障子の上端部およびアーム部材の端部を上下スライド自在に支持することで、縦枠に形成された開口であるレール部から縦枠内部への埃やゴミ等の浸入を防止することができる。従って、スライド部材などへの埃やゴミ等の付着が防止でき、下側の障子の円滑な開閉操作性を確保することができる。
また、縦枠のレール部を副レール部材で塞ぐことで、縦枠の内部構造が室内側から見えなくなり、建具の意匠性を向上させることができる。
【０００９】
この際、本発明の建具では、前記アーム部材の端部には、前記副レール部材にスライド自在に支持されるアームスライド部材が設けられ、前記副レール部材の下端部には、前記下側の障子の回動操作に伴って下方にスライドする前記アームスライド部材に当接して当該障子の回動位置を規定するストッパーが設けられていることが好ましい。
このような構成によれば、副レール部材の下端部に設けたストッパーでアームスライド部材を位置決めすることで、下側の障子を内倒しする際のアーム部材の位置決め部材として副レール部材を兼用することができる。
【００１０】
さらに、本発明の建具では、前記ストッパーの下端面は、上方に開放操作された前記下側の障子のスライド部材に当接して当該障子の開放位置を規定可能に構成されていることが好ましい。
このような構成によれば、副レール部材の下端部に設けたストッパーで下側の障子のスライド部材を位置決めすることで、下側の障子を上方に開放する際の位置決め部材として副レール部材を兼用することができる。これにより、例えば、窓枠の上枠や縦枠の上端部に障子ストッパ等を設ける必要がなくなるため、部品点数が削減できるとともに、建具の外観意匠性をより向上させることができる。
【００１１】
また、本発明の建具では、前記副レール部材には、前記下側の障子の回動操作に伴って下方にスライドする前記アームスライド部材と摺接する摺接面が設けられていることが好ましい。
このような構成によれば、副レール部材の摺接面にアームスライド部材が摺接することで、摩擦抵抗を作用させて下側の障子を内倒しする際の回動速度を抑制することができる。
【００１２】
さらに、本発明の建具では、前記摺接面の上部には、上方から下方に向かって前記アームスライド部材に近づく傾斜面が形成されていることが好ましい。
このような構成によれば、副レール部材の摺接面にアームスライド部材が摺接する摺接初期において、傾斜面に沿って摺接することで急激に回動速度を低下させずに徐々に低下させることができ、下側の障子の内倒し時の衝撃を緩和することができる。
【００１３】
また、本発明の建具では、前記アームスライド部材には、前記副レール部材の摺接面に摺接する摺接部が設けられ、この摺接部は、前記摺接面に向かって進退位置が調節可能に構成されていることが好ましい。
このような構成によれば、アームスライド部材の摺接部の進退位置を調節することによって、副レール部材の摺接面との摩擦抵抗が設定できるので、下側の障子の大きさ（重量）等に応じて適宜な摩擦抵抗が作用するようにして回動速度が調節できる。
【００１４】
また、本発明の建具では、前記窓枠には、吊下材を介して前記スライド部材に接続されて前記下側の障子を上方に付勢するバランサが設けられており、前記バランサに接続された前記吊下材は、前記縦枠のレール部内において、前記副レール部材の一方の側面に沿って下方に延びるとともに、前記スライド部材に設けられた滑車に巻かれて折返し、前記副レール部材の他方の側面に沿って上方に延びて設けられていることが好ましい。
このような構成によれば、バランサに接続された吊下材（鋼鉄線をより合わせた鋼製のワイヤーロープや、炭素繊維等の高強度繊維を編んだもの等で構成されるロープ、または吊り下げロッド）がレール部内における副レール部材の側面に沿って設けられているので、吊下材が室内側から見えず建具の意匠性を良好にすることができる。さらに、副レール部材を跨ぐようにして吊下材が設けられることで、レール部の奥行き寸法が小さくでき、縦枠の見付け寸法（または見込み寸法）を小さくして、この点でも建具の意匠性を良好にすることができる。
【発明を実施するための最良の形態】
【００１５】
以下、本発明の実施形態を図面に基づいて説明する。
図１は、本発明の実施形態に係る建具である上げ下げ窓１を室外側から見た正面図である。図２は、上げ下げ窓１を示す縦断面図である。図３は、上げ下げ窓１を示す横断面図であって、上部障子位置における横断面図である。
図１〜図３において、上げ下げ窓１は、戸建て住宅等の建物の外壁２における開口部３に設けられて建物の室内空間と室外空間とを仕切るもので、下端位置が床面よりも所定寸法（例えば、６００mm〜９００mm）だけ高い位置に設けられた腰窓である。
【００１６】
上げ下げ窓１は、上枠１１、下枠１２、および左右の縦枠１３を四周枠組みした窓枠１０と、この窓枠１０の内側に開閉自在に支持された上部障子（上側の障子）２０および下部障子（下側の障子）３０とを備えて構成されている。窓枠１０は、開口部３周辺の柱や壁パネル等の建物躯体４に固定されている。上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。また、窓枠１０の室外側には、外部ブラインド４０が設けられ、上部障子２０の室内側における窓枠１０には、網戸５０が取り付けられている。
【００１７】
上部障子２０および下部障子３０は、それぞれ窓枠１０の縦枠１３に案内されて上下にスライド可能に支持されるとともに、上部障子２０が下部障子３０よりも室外側に設けられている。すなわち、上部障子２０によって室外側障子が構成され、下部障子３０によって室内側障子が構成されている。そして、上部障子２０の下框（外召合せ框）２２と下部障子３０の上框（内召合せ框）３１とが見込み方向に重なって上げ下げ窓１が閉じられるようになっている。上部障子２０は、その上框２１が上枠１１に当接した閉鎖位置から、閉じた状態の下部障子３０の上框３１に上框２１が略重なる開放位置までの間を、開閉移動可能に構成されている。一方、下部障子３０は、その下框３２が下枠１２に当接した閉鎖位置から、その上框３１が上枠１１に近接する開放位置までの間を、開閉移動可能に構成されている。
【００１８】
また、上部障子２０の高さ寸法、つまり上框２１上端縁から下框２２下端縁までの長さ寸法は、下部障子３０の高さ寸法よりも小さく形成され、具体的には、上部障子２０は、下部障子３０の略半分の高さ寸法に設定されている。すなわち、下部障子３０が閉鎖位置にある状態で上部障子２０を開放位置まで全開した場合には、上部障子２０が下部障子３０の略上半分室外側に重なった状態となり、この上部障子２０の上方に開口が形成されて上げ下げ窓１が開かれるようになっている。このように、上部障子２０を下部障子３０の略半分の高さ寸法に設定したことで、上部障子２０を全開すれば、この上部障子２０の上下框２１，２２および下部障子３０の上框３１によって、窓枠１０の内部が上下に略三等分された略目の字形の外観（または内観）となり、バランスのよい良好な意匠性が得られる。
一方、上部障子２０が閉鎖位置にある状態で下部障子３０を開放位置まで全開した場合にも、下部障子３０の略上半分が上部障子２０および網戸５０の室内側に重なった状態となり、下部障子３０の下方に開口が形成されて上げ下げ窓１が開かれるようになっている。
【００１９】
次に、図４、図５も参照して上げ下げ窓１の各部詳細について説明する。
図４は、上げ下げ窓１の一方の縦枠１３および上部障子２０の縦框２３を拡大して示す横断面図である。図５は、上げ下げ窓１の他方の縦枠１３および下部障子３０の縦框３３を拡大して示す横断面図である。
【００２０】
縦枠１３は、図４および図５に示すように、それぞれアルミ押出形材製の室内部材１３１、室外部材１３２、室内レール部材１３３、および室外レール部材１３４と、室内部材１３１と室外部材１３２とを連結する樹脂製の断熱部材１３５と、室内レール部材１３３と室外レール部材１３４とを連結する樹脂製の断熱部材１３６とを備えて中空状に形成されている。室内レール部材１３３および室外レール部材１３４は、見付け方向内側に向かって開口した断面略Ｃ字形に形成されており、それぞれ上部障子２０および下部障子３０を上下に案内可能に構成されている。
【００２１】
下部障子３０の下框３２には、室内レール部材１３３に挿入されるスライドシュー（スライド部材）３６が設けられており、下部障子３０の縦框３３上端部には、ラッチ装置３７が設けられ、このラッチ装置３７から突出した突出片３７２（図８）が室内レール部材１３３の内部レール１３７（後述）に挿入されている。そして、これらのスライドシュー３６およびラッチ装置３７の突出片３７２が室内レール部材１３３に沿って案内されることで、下部障子３０が上下にスライド開閉されるようになっている。ラッチ装置３７は、見付け方向内方にスライド操作可能な操作部３７１と、縦框３３の見込み面から縦枠１３に向かって突出するとともに操作部３７１の操作により縦框３３内に没入可能な突出片３７２とを有して構成されている。
【００２２】
次に、下部障子３０の開閉動作について、図６〜図８に基づいて説明する。
図６(Ａ)〜(Ｃ)は、下部障子３０の動作を説明する図である。図７および図８は、それぞれ下部障子３０の内倒し状態を示す縦断面図および斜視図である。
図６(Ａ)に示すように、下部障子３０が閉鎖位置にある場合には、下框３２および下枠１２に設けられた２箇所の下部施錠装置（不図示）によって下部障子３０が施錠されるようになっている。下部施錠装置は、下枠１２に設けられた錠受けと、下框３２に設けられた錠部材と、下框３２に設けられた把手とを備えて構成され、この把手の操作により錠部材と錠受けとの係合が外れ、下部障子３０が開操作可能となる。そして、把手を上方に持ち上げるように開操作すると、図６(Ｂ)に示すように、下部障子３０が開放位置まで開放でき、把手を下方に押し下げて下部障子３０を図６(Ａ)の閉鎖位置まで閉操作すれば、錠部材と錠受けとが自動的に係合して施錠できるようになっている。
【００２３】
以上のような下部障子３０の下端部は、窓枠１０の上枠１１に内蔵されたバランサ（不図示）によって上方に付勢されている。すなわち、図４および図８に示すように室内レール部材１３３の内部には、バランサに接続されて下方に延びるとともに、スライドシュー３６に設けられた滑車（後述）に巻かれて折返し、上方に延びて設けられた吊下材であるロープ３９が挿通されている。そして、バランサは、所定のばね力を発揮する定荷重ばね等を有して構成されており、このバランサのばね力がロープ３９を介してスライドシュー３６に伝達されるようになっている。このようなバランサによる付勢力は、下部障子３０の重量に釣り合うように設定されており、下部障子３０が小さな操作力で開操作できるとともに、開放された下部障子３０が任意の位置で静止状態を維持できるようになっている。また、ロープ３９は、鋼鉄線をより合わせた鋼製のワイヤーロープや、炭素繊維等の高強度繊維を編んだもの等で構成される。
【００２４】
一方、下部障子３０は、図６(Ｃ)および図７に示すように、下部障子３０が所定量（例えば、１０cm程度）だけ上方に開操作された所定の開位置において、ラッチ装置３７の突出片３７２と室内レール部材１３３との係合を外せば、スライドシュー３６に設けられた回動軸３６４を中心に上框３１側が室内側に回動（内倒し）可能に構成されている。そして、下部障子３０を内倒しすることで、ガラスパネル３４の室外面を清掃することができるようになっている。この内倒し時において下部障子３０を所定の角度で窓枠１０に支持させるために、下部障子３０には、一端が縦框３３に軸支され、他端が縦枠１３に接続された内倒しアーム３８が設けられている。この内倒しアーム３８の他端（縦枠１３側端）には、スライドシュー（アームスライド部材）３８１が連結されており、このスライドシュー３８１は、縦枠１３の室内レール部材１３３に設けられた内部レール（副レール部材）１３７に案内されて上下スライド可能になっている。
【００２５】
内部レール１３７は、図４に示すように、縦枠１３の見付け方向内側に向かって開口した断面略コ字形に形成され、案内溝１３７Ａと背面部１３７Ｂとを有し、背面部１３７Ｂが室内レール部材１３３にビス止め固定されている。そして、ロープ３９は、室内レール部材１３３の内部において、内部レール１３７の室外側側面および室外側側面に沿って上下に延びて設けられている。このような内部レール１３７を室内レール部材１３３の開口部を塞いで設けることで、ロープ３９が室内側から見えないようになっているとともに、下部障子３０を閉じた状態で室内レール部材１３３の開口部が露出せず、室内レール部材１３３内部へのゴミ等の浸入が防止できるようになっている。また、内部レール１３７の下端部には、端部キャップを兼ねたストッパー（位置決め部材）１３８が設けられており、このストッパー１３８にスライドシュー３８１が当接して位置決めされることで、内倒し時の下部障子３０の回動位置が規定されるようになっている。さらに、図６(Ｂ)に示す開放位置まで下部障子３０が開放された際には、スライドシュー３６がストッパー１３８の下端に当接して位置決めされ、下部障子３０の開放位置が規定されるようになっている。
【００２６】
以上のような内倒し時の下部障子３０は、バランサで上方に付勢された下端部の移動がロック装置６０によって規制されるとともに、ブレーキ装置７０によって内倒しの回動速度が減衰されるようになっている。以下、ロック装置６０およびブレーキ装置７０について図９、図１０に基づいて詳しく説明する。
図９は、ロック装置６０が設けられたスライドシュー３６を示す斜視図である。図１０(Ａ)，(Ｂ)は、ブレーキ装置７０を示す横断面図および縦断面図である。
【００２７】
ロック装置６０は、縦枠１３に設けられた受け部材６１と、この受け部材６１に係合可能な係合位置と係合不能な非係合位置との間を回動自在にスライドシュー３６に設けられた係合部材６２と、この係合部材６２を係合位置に向かって付勢する付勢手段としてのばね（不図示）と、係合部材６２の回動を規制する規制部材６４とを有して構成されている。
係合部材６２および規制部材６４は、室内レール部材１３３に案内されるスライドシュー３６に設けられている。このスライドシュー３６は、室内レール部材１３３の内面に沿った側面略矩形状の本体部３６１と、この本体部３６１内に軸支された上下２つの滑車３６２，３６３と、下側の滑車３６３と同軸に本体部３６１に軸支されて下部障子３０側に突出した回動軸３６４とを備えて構成されている。この回動軸３６４に下部障子３０の下框３２がビス止め固定されている。そして、前記バランサに接続されたロープ３９は、２つの滑車３６２，３６３に巻かれており、これらの滑車３６２，３６３を介してスライドシュー３６および下部障子３０がバランサによって上方に付勢されている。
【００２８】
受け部材６１は、室内側端縁に室外側に凹んだ受け部を有して形成され、縦枠１３の見付け方向内側面にビス止め固定されている。
係合部材６２は、金属板材からなり、受け部材６１の受け部に係合する鉤形に折れ曲がった係合部６２１を上部に有し、下部に突出して規制部材６４に規制される突片部６２２を有して形成されている。この係合部材６２は、スライドシュー３６に軸支されるとともに、この軸支位置よりも上側がばねで押圧されて室外側に付勢されている。規制部材６４は、回動軸３６４に固定された円盤部分から径方向上方に突出して係合部材６２の突片部６２２に当接可能な規制部６４１を有して形成され、下部障子３０の回動に伴って回動されるようになっている。
【００２９】
そして、係合部材６２は、突片部６２２が規制部材６４で室外側に押圧されてばねの付勢力に抗して係合部６２１が室内側に位置する非係合位置と、規制部材６４による規制が外れてばねの付勢力により係合部６２１が室外側に移動した係合位置との間を回動可能に構成されている。この係合位置に回動された状態において、係合部材６２の係合部６２１が受け部材６１の受け部に係合し、この係合によりスライドシュー３６および下部障子３０の上下移動が規制されるようになっている。
【００３０】
ブレーキ装置７０は、図１０に示すように、内部レール１３７に設けられて摺接面を構成するスペーサ１３９と、内倒しアーム３８のスライドシュー３８１に設けられた摺接部としてのブレーキシュー３８１Ｂとで構成されている。スペーサ１３９は、内部レール１３７の下部における背面部１３７Ｂに固定されている。すなわち、下部障子３０を回動操作した際に、スライドシュー３８１が内部レール１３７内を下降してストッパー１３８に当接して停止される直前位置であって、下部障子３０の回動角度が大きくなって回動速度が速くなる位置にスペーサ１３９は設けられている。そして、スペーサ１３９の上部には、上方から下方に向かってスライドシュー３８１に近づく傾斜面１３９Ａが設けられている。
【００３１】
スライドシュー３８１は、内部レール１３７の内面に沿った略直方体箱状に形成されて内部レール１３７の背面部１３７Ｂ側が開口された本体部３８１Ａと、この本体部３８１Ａの開口から挿入されて本体部３８１Ａに支持されたブレーキシュー３８１Ｂと、このブレーキシュー３８１Ｂの位置を調節する調節ねじ３８１Ｃとを有して構成されている。ブレーキシュー３８１Ｂは、本体部３８１Ａから内部レール１３７の背面部１３７Ｂ側に突出して設けられ、この突出量が調節ねじ３８１Ｃによって調節可能になっている。
以上のスペーサ１３９およびブレーキシュー３８１Ｂは、例えば、一方がゴムや軟質樹脂等の弾性体から形成され、他方が金属や硬質樹脂等から形成されていてもよく、また、少なくとも一方が金属や硬質樹脂等から板ばね状に他方に突出して形成されていてもよい。すなわち、スペーサ１３９およびブレーキシュー３８１Ｂが互いに摺動することで所定の抵抗（摩擦力）が作用して、スライドシュー３８１のスライド速度を低下させることができ、かつスライドシュー３８１のスライドが阻害されない程度の摺動性が確保される構成であればよい。
【００３２】
以上のブレーキ装置７０によれば、下部障子３０の回動操作によりスライドシュー３８１が下降することで、ブレーキシュー３８１Ｂとスペーサ１３９とが摺接し、この摺接による摩擦エネルギの消費によってスライドシュー３８１の下降速度、つまり下部障子３０の回動速度が減衰されるようになっている。また、ブレーキシュー３８１Ｂが先ずスペーサ１３９の傾斜面１３９Ａに摺接することで、急激な速度低下による衝撃を防止することができ、この傾斜面１３９Ａの長さ寸法を適宜設定することで、速度低下初期における減衰力の作用状態が調節できるようになっている。さらに、スペーサ１３９の上下方向の長さ寸法を調節することで、回動操作中における下部障子３０の回動にブレーキが効き始めるタイミングを適宜に設定することができるようになっている。また、調節ねじ３８１Ｃによって本体部３８１Ａからのブレーキシュー３８１Ｂの突出量を調節することで、ブレーキシュー３８１Ｂとスペーサ１３９との摺接で消費される摩擦エネルギが増加または減少され、下部障子３０の回動速度を減衰させる減衰力の大きさが調節できるようになっている。
【００３３】
このような本実施形態によれば、以下のような効果がある。
（１）すなわち、下部障子３０のスライドシュー３６を案内する室内レール部材１３３を塞いで内部レール１３７を取り付け、この内部レール１３７で下部障子３０のラッチ装置３７および内倒しアーム３８のスライドシュー３８１を上下スライド自在に支持することで、室内レール部材１３３に形成された開口から縦枠１３内部への埃やゴミ等の浸入を防止することができる。従って、スライドシュー３６やロープ３９などへの埃やゴミ等の付着が防止でき、下部障子３０の円滑な開閉操作性を確保することができる。
【００３４】
（２）また、室内レール部材１３３の開口を内部レール１３７で塞ぐことで、縦枠１３の内部構造であるロープ３９が室内側から見えなくなり、上げ下げ窓１の意匠性を向上させることができる。さらに、内部レール１３７を跨ぐようにして内部レール１３７の室内側側面および室外側側面に沿ってロープ３９が設けられることで、室内レール部材１３３の奥行き寸法が小さくでき、縦枠１３の見付け寸法を小さくして、この点でも上げ下げ窓１の意匠性を良好にすることができる。
【００３５】
（３）また、内部レール１３７の下端部に設けたストッパー１３８によって、内倒しアーム３８のスライドシュー３８１が位置決めされるとともに、下部障子３０のスライドシュー３６が位置決めされるので、下部障子３０を内倒しする際および下部障子３０を上方に開放する際の位置決め部材として内部レール１３７のストッパー１３８を兼用することができる。また、ストッパー１３８が内部レール１３７の端部キャップを兼ねているので、内部レール１３７の案内溝１３７Ａから埃等が浸入しても、この埃等がストッパー１３８で止まって室内レール部材１３３の内部に浸入せず、これによってもスライドシュー３６やロープ３９などへの埃等の付着が防止できる。
【００３６】
（４）また、下部障子３０の内倒し操作時において、スライドシュー３８１のブレーキシュー３８１Ｂと内部レール１３７のスペーサ１３９とが摺接して下部障子３０の回動速度が抑制されるので、内倒し操作を安全に実行することができる。さらに、スペーサ１３９の上部に傾斜面１３９Ａが設けられているので、ブレーキシュー３８１Ｂとスペーサ１３９との摺接初期において、急激に回動速度を低下させずに徐々に低下させることができ、下部障子３０の内倒し時の衝撃を緩和することができる。
【００３７】
（５）また、内倒しアーム３８のスライドシュー３８１において、ブレーキシュー３８１Ｂの進退位置を調節ねじ３８１Ｃで調節することによって、スペーサ１３９との摩擦抵抗の大きさが任意に設定できるので、下部障子３０の大きさ（重量）等に応じて適宜な摩擦抵抗が作用するようにして回動速度が調節できる。
【００３８】
（６）また、下部障子３０の回動操作時において、スライドシュー３６の上下移動を規制するロック装置６０を設けたことで、バランサによって上方に付勢されていてもスライドシュー３６が上方に移動してしまうことがなく、回動操作時の下部障子３０を安定させることができるため、内倒し操作の操作性を良好にすることができる。
【００３９】
（７）さらに、スライドシュー３６がロック装置６０でロックされるため、バランサの付勢力が大きくなったとしても安定性が維持され、下部障子３０を大型化することができ、大きな開口を有した上げ下げ窓１を形成することができる。また、バランサの付勢力による下部障子３０の下端部の跳ね上がりが防止できるため、回動操作時の安全性を向上させることができる。
【００４０】
なお、本発明は、前記実施形態に限定されるものではなく、本発明の目的を達成できる他の構成等を含み、以下に示すような変形等も本発明に含まれる。
例えば、前記実施形態においては、上げ下げ窓１が上下一対の２枚の障子（上部障子２０および下部障子３０）を有して構成されていたが、これに限らず、３枚以上の障子を有して構成されていてもよい。
また、前記実施形態では、上部障子２０および下部障子３０がそれぞれ上下にスライド開閉可能に構成されていたが、これに限らず、上部障子２０が開閉不能な固定障子であってもよく、また突出し形式や内倒し形式、開き形式、辷出し形式等で開閉されるものであってもよい。
【００４１】
すなわち、上部障子２０の開閉形式を突出し形式とする場合には、上框２１を上枠１１に軸支させ、下框２２側が室外側に回動するように構成すればよい。また、上部障子２０の開閉形式を内倒し形式とする場合には、下框２２や縦框２３の下部を縦枠１３に軸支させ、上框２１側が室内側に回動するように構成すればよい。さらに、上部障子２０の開閉形式を開き形式や辷出し形式とする場合には、左右いずれか一方の縦框２３を縦枠１３や上下枠１１，１２に軸支させ、他方の縦框２３側が室外側や室内側に回動するように構成すればよい。
【００４２】
また、前記実施形態では、内部レール１３７に設けたスペーサ１３９と、内倒しアーム３８のスライドシュー３８１に設けたブレーキシュー３８１Ｂとでブレーキ装置７０を構成したが、このような構成に限られない。すなわち、摺接面としては、内部レール１３７に設けたスペーサ１３９に限らず、内部レール１３７自体の内面に形成されていてもよい。また、摺接部としては、スライドシュー３８１に設けたブレーキシュー３８１Ｂに限らず、スライドシュー３８１とは別に内倒しアーム３８の縦枠１３側端部に設けられていてもよい。
【００４３】
また、前記実施形態では、バランサが上枠１１に設けられ、このバランサに接続されたロープ３９を介して下部障子３０のスライドシュー３６が上方に付勢されていたが、これに限らず、縦枠１３上部にバランサを設けてもよく、またロープ３９に限らず棒状部材（ロッド）を介してバランサとスライドシュー３６とが接続されていてもよい。さらには、長尺なばね部材から構成したバランサをスライドシュー３６に接続して、スライドシュー３６を上方に付勢してもよい。
【００４４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４５】
【図１】本発明の実施形態に係る建具を室外側から見た正面図である。
【図２】前記建具を示す縦断面図である。
【図３】前記建具を示す横断面図であり、上部障子位置での横断面図である。
【図４】前記建具における縦枠および上部障子の縦框を拡大して示す横断面図である。
【図５】前記建具における縦枠および下部障子の縦框を拡大して示す横断面図である。
【図６】(Ａ)〜(Ｃ)は、前記下部障子の動作を説明する図である。
【図７】前記下部障子の内倒し状態を示す縦断面図である。
【図８】前記下部障子の内倒し状態を示す斜視図である。
【図９】前記下部障子のスライド部材を示す斜視図である。
【図１０】(Ａ)，(Ｂ)は、前記下部障子のブレーキ装置を示す横断面図および縦断面図である。
【符号の説明】
【００４６】
１０…窓枠、１１…上枠、１２…下枠、１３…縦枠、２０…上部障子、３０…下部障子、３６…スライド部材であるスライドシュー、３８…アーム部材である内倒しアーム、３９…吊下材であるロープ、１３７…副レール部材である内部レール、１３８…ストッパー、１３９…摺接面であるスペーサ、３６２，３６３…滑車、３８１…アームスライド部材であるスライドシュー、３８１Ｂ…摺接部であるブレーキシュー。
【図１】
2006233711.tif 000003
【図２】
2006233711.tif 000004
【図３】
2006233711.tif 000005
【図４】
2006233711.tif 000006
【図５】
2006233711.tif 000007
【図６】
2006233711.tif 000008
【図７】
2006233711.tif 000009
【図８】
2006233711.tif 000010
【図９】
2006233711.tif 000011
【図１０】
2006233711.tif 000012